【手続補正書】
【提出日】平成17年5月9日(2005.5.9)
【手続補正１】
【補正対象書類名】明細書
【補正対象項目名】特許請求の範囲
【補正方法】変更
【補正の内容】
【特許請求の範囲】
【請求項１】
杆状導通片を絶縁性基板に横断状に装着し、リード線挿入孔から挿入されたリード線が杆状導通片に電気的に接続される複数の接続部を、杆状導通片に沿って具備する端子台において、
リード線挿入孔へ挿入されたリード線の挿入端が座定位置となると、該挿入端による押圧作用により、リード線挿入確認片の上端を、外方から視認可能な確認位置に変位させるようにした確認片変位手段を備えたことを特徴とする端子台。
【請求項２】
各接続部は、
杆状導通片に一体的に形成されて刃先を導通片の長手方向に沿って突出するＶ形破断刃と、
ほぼ上下方向のリード線挿入孔と梃子棒貫通孔とが形成され、杆状導通片に沿って移動して、リード線挿入孔がＶ形破断刃から退避する開放位置とＶ形破断刃と上下で重なる接続位置とに位置決めされる可動押圧片と、
杆状導通片に形成された、開放位置から接続位置に至るリード線挿入孔の作動領域に対向する梃子棒作動口と、
絶縁性基板に形成された、梃子棒貫通孔及び梃子棒作動口とから挿入された梃子棒を内部で傾動可能に支持する操作溝とを備え、
操作溝内での梃子棒の傾動作用により梃子棒貫通孔の従動に伴って可動押圧片を移動して、接続位置でリード線挿入孔に挿入されたリード線をＶ形破断刃にくい込ませて、その導線とＶ形破断刃とを電気的に接続するようにしたものにあって、
可動押圧片に、リード線挿入確認片を移動可能に保持するとともに、リード線挿入孔へ挿入されたリード線の挿入端が座定位置となると、該挿入端による押圧作用により、リード線挿入確認片の上端を、外方から視認可能な確認位置に変位させるようにした確認片変位手段を備えたことを特徴とする請求項１記載の端子台。
【請求項３】
確認片変位手段が、
リード線挿入孔の側傍に上下方向の作動孔を形成して、リード線挿入確認片を該作動孔内に昇降可能に保持すると共に、
リード線挿入孔に、傾動可能に保持され、その保持部から突出した一端を前記リード線挿入確認片の下部に連係し、保持部から他方へ突出した他端をリード線挿入孔のリード線挿入端の座定領域内に突出するように配置されて、リード線挿入孔へ挿入されたリード線の挿入端が座定位置となると、該挿入端により、他端が下方へ押圧されて、保持部を中心に傾動し、一端の上方移動によりリード線挿入確認片を上昇移動させて、その上端を確認位置に変位させる傾動変換片を備えてなるものである請求項１又は請求項２記載の端子台。
【請求項４】
傾動変換片を、薄肉保持部を介して可動押圧片に一体的に形成し、リード線の挿入端により傾動変換片が押圧されると、前記薄肉保持部が弾性変形し、傾動変換片を傾動させ、リード線挿入確認片の上端を確認位置に変位させるようにした請求項３記載の端子台。
【請求項５】
確認片変位手段が、
リード線挿入孔にリード線挿入確認片を傾動可能に保持すると共に、
該リード線挿入確認片の下端をリード線挿入孔のリード線挿入端の座定領域内に突出するように配置して、リード線挿入孔へ挿入されたリード線の挿入端が座定位置となると、該挿入端に、リード線挿入確認片の下端が押圧されることにより、リード線挿入確認片が傾動し、その上端を確認位置に変位させるものである請求項１又は請求項２記載の端子台。
【請求項６】
リード線挿入確認片を、薄肉保持部を介して可動押圧片に一体的に形成し、リード線の挿入端によりリード線挿入確認片の下端が押圧されると、前記薄肉保持部が弾性変形し、リード線挿入確認片の上端を傾動させ、確認位置に変位させるようにした請求項５記載の端子台。
【手続補正２】
【補正対象書類名】明細書
【補正対象項目名】０００７
【補正方法】変更
【補正の内容】
【０００７】
【課題を解決するための手段】
本発明は、杆状導通片を絶縁性基板に横断状に装着し、リード線挿入孔から挿入されたリード線が杆状導通片に電気的に接続される複数の接続部を、杆状導通片に沿って具備する端子台において、リード線挿入孔へ挿入されたリード線の挿入端が座定位置となると、該挿入端による押圧作用により、リード線挿入確認片の上端を、外方から視認可能な確認位置に変位させるようにした確認片変位手段を備えたことを特徴とする端子台である。
ここで、各接続部は、杆状導通片に一体的に形成されて刃先を導通片の長手方向に沿って突出するＶ形破断刃と、ほぼ上下方向のリード線挿入孔と梃子棒貫通孔とが形成され、杆状導通片に沿って移動して、リード線挿入孔がＶ形破断刃から退避する開放位置とＶ形破断刃と上下で重なる接続位置とに位置決めされる可動押圧片と、杆状導通片に形成された、開放位置から接続位置に至るリード線挿入孔の作動領域に対向する梃子棒作動口と、絶縁性基板に形成された、梃子棒貫通孔及び梃子棒作動口とから挿入された梃子棒を内部で傾動可能に支持する操作溝とを備え、操作溝内での梃子棒の傾動作用により梃子棒貫通孔の従動に伴って可動押圧片を移動して、接続位置でリード線挿入孔に挿入されたリード線をＶ形破断刃にくい込ませて、その導線とＶ形破断刃とを電気的に接続するようにしたものにあって、可動押圧片に、リード線挿入確認片を移動可能に保持するとともに、リード線挿入孔へ挿入されたリード線の挿入端が座定位置となると、該挿入端による押圧作用により、リード線挿入確認片の上端を、外方から視認可能な確認位置に変位させるようにした確認片変位手段を備えたことを特徴とする端子台が提案される。すなわち、可動押圧片にリード線挿入孔を形成した構成に係るものである。
【手続補正３】
【補正対象書類名】明細書
【補正対象項目名】０００９
【補正方法】変更
【補正の内容】
【０００９】
ここで、確認片変位手段が、リード線挿入孔の側傍に上下方向の作動孔を形成して、リード線挿入確認片を該作動孔内に昇降可能に保持すると共に、リード線挿入孔に、傾動可能に保持され、その保持部から突出した一端を前記リード線挿入確認片の下部に連係し、保持部から他方へ突出した他端をリード線挿入孔のリード線挿入端の座定領域内に突出するように配置されて、リード線挿入孔へ挿入されたリード線の挿入端が座定位置となると、該挿入端により、他端が下方へ押圧されて、保持部を中心に傾動し、一端の上方移動によりリード線挿入確認片を上昇移動させて、その上端を確認位置に変位させる傾動変換片を備えてなるものである構成が提案される。ここで、座定領域とは、リード線の挿入端であるリード線挿入端の座定位置、及びその周辺領域を指す。かかる構成にあっては、傾動変換片の傾動作用により、リード線挿入端の座定位置への挿入に伴って、リード線挿入確認片の上端が、上方の確認位置へ変位することとなる。
【手続補正４】
【補正対象書類名】明細書
【補正対象項目名】００１０
【補正方法】変更
【補正の内容】
【００１０】
そして、傾動変換片を、薄肉保持部を介して可動押圧片に一体的に形成し、リード線の挿入端により傾動変換片が押圧されると、前記薄肉保持部が弾性変形し、傾動変換片を傾動させ、リード線挿入確認片の上端を確認位置に変位させるようにした構成が提案される。かかる構成にあっては、リード線挿入端を、座定位置まで挿入すると、薄肉保持部が弾性変形し、傾動変換片を傾動させ、該傾動変換片が、リード線挿入確認片の上端を確認位置へと押し上げる。一方、リード線挿入端が、座定位置から退避すると、薄肉保持部が、定常位置に復帰するため、傾動変換片が、リード線挿入確認片を押し下げ、該リード線挿入確認片は、その上端を確認位置から退避することとなる。このように傾動変換片を可動押圧片と一体的に形成することにより、部品点数を削減できる。すなわち、実施例でも示すように、傾動変換片は、その設計例として、長さが６ｍｍ以下で、幅３ｍｍ程度の微細な形状が求められるが、上述したように、これを可動押圧片と一体形成し、かつ薄肉保持部を介して連成することにより、該薄肉保持部の可撓性による復元弾力を介して、傾動可能とすることができ、支軸等を要することなく作製可能とすることができる。また、その傾動変換片を、可動押圧片に取り付ける作業が不要となる。
【手続補正５】
【補正対象書類名】明細書
【補正対象項目名】００１１
【補正方法】変更
【補正の内容】
【００１１】
確認片変位手段が、リード線挿入孔にリード線挿入確認片を傾動可能に保持すると共に、該リード線挿入確認片の下端をリード線挿入孔のリード線挿入端の座定領域内に突出するように配置して、リード線挿入孔へ挿入されたリード線の挿入端が座定位置となると、該挿入端に、リード線挿入確認片の下端が押圧されることにより、リード線挿入確認片が傾動し、その上端を確認位置に変位させるものである構成も提案される。かかる構成にあっては、座定位置へ挿入するリード線挿入端が、リード線挿入確認片の下端部を直接押圧し、該リード線挿入確認片を傾動させて、該リード線挿入確認片の上端を確認位置へ変位させることとなる。
【手続補正６】
【補正対象書類名】明細書
【補正対象項目名】００１２
【補正方法】変更
【補正の内容】
【００１２】
リード線挿入確認片を、薄肉保持部を介して可動押圧片に一体的に形成し、リード線の挿入端によりリード線挿入確認片の下端が押圧されると、前記薄肉保持部が弾性変形し、リード線挿入確認片の上端を傾動させ、確認位置に変位させるようにした構成も提案される。かかる構成にあっては、リード線挿入確認片を、薄肉保持部を介して、可動押圧片と一体的に形成したため、部品点数を減らすことが可能となる。
【手続補正７】
【補正対象書類名】明細書
【補正対象項目名】００４０
【補正方法】変更
【補正の内容】
【００４０】
【発明の効果】
本発明は、リード線挿入孔へ挿入されたリード線の挿入端が座定位置となると、該挿入端による押圧作用により、リード線挿入確認片の上端を、外方から視認可能な確認位置に変位させるようにした確認片変位手段を備えたから、リード線の挿入端が座定位置まで挿入されたことを、リード線挿入確認片により、視覚的に確認可能となるため、リード線の接続不良を防止できると共に、結線作業を迅速化できる。
【手続補正８】
【補正対象書類名】明細書
【補正対象項目名】００４１
【補正方法】変更
【補正の内容】
【００４１】
ここで、確認片変位手段が、リード線挿入孔の側傍に上下方向の作動孔を形成して、リード線挿入確認片を該作動孔内に昇降可能に保持すると共に、リード線挿入孔に、傾動可能に保持され、その保持部から突出した一端を前記リード線挿入確認片の下部に連係し、保持部から他方へ突出した他端をリード線挿入孔のリード線挿入端の座定領域内に突出するように配置されて、リード線挿入孔へ挿入されたリード線の挿入端が座定位置となると、該挿入端により、他端が下方へ押圧されて、保持部を中心に傾動し、一端の上方移動によりリード線挿入確認片を上昇移動させて、その上端を確認位置に変位させる傾動変換片を備えてなるものである場合には、傾動変換片の傾動により、リード線の挿入端の押圧作用を、リード線挿入確認片に伝え、該リード線挿入確認片の上端を確認位置に変位させることができる。
【手続補正９】
【補正対象書類名】明細書
【補正対象項目名】００４２
【補正方法】変更
【補正の内容】
【００４２】
そして、傾動変換片を、薄肉保持部を介して可動押圧片に一体的に形成し、リード線の挿入端により傾動変換片が押圧されると、前記薄肉保持部が弾性変形し、傾動変換片を傾動させ、リード線挿入確認片の上端を確認位置に変位させるようにすれば、傾動変換片の可動押圧片への組み付け作業が不要となり、部品点数を削減できると共に、リード線挿入端の押圧作用を、リード線挿入確認片に伝えるのに適する微小形状の傾動変換片を作製できる。
【手続補正１０】
【補正対象書類名】明細書
【補正対象項目名】００４３
【補正方法】変更
【補正の内容】
【００４３】
また、確認片変位手段が、リード線挿入孔にリード線挿入確認片を傾動可能に保持すると共に、該リード線挿入確認片の下端をリード線挿入孔のリード線挿入端の座定領域内に突出するように配置して、リード線挿入孔へ挿入されたリード線の挿入端が座定位置となると、該挿入端に、リード線挿入確認片の下端が押圧されることにより、リード線挿入確認片が傾動し、その上端を確認位置に変位させるものである場合には、リード線の挿入端で、リード線挿入確認片を直接変位させるため、確認片変位手段を、介在機構を要しない簡素なものとできる。
【手続補正１１】
【補正対象書類名】明細書
【補正対象項目名】００４４
【補正方法】変更
【補正の内容】
【００４４】
さらに、リード線挿入確認片を、薄肉保持部を介して可動押圧片に一体的に形成し、リード線の挿入端によりリード線挿入確認片の下端が押圧されると、前記薄肉保持部が弾性変形し、リード線挿入確認片の上端を傾動させ、確認位置に変位させるようにすれば、リード線挿入確認片を可動押圧片と一体化することにより、部品点数を削減できる。